(57)【要約】【課題】体液の酸化還元電位に更に生体情報を加えて精度良く健康度合いを判定する健康管理装置を提供することを目的とする。【解決手段】身体の酸化還元電位を測定する測定手段と、前記身体の酸化還元電位以外の生体情報を少なくとも１つ入力する入力手段と、前記身体の酸化還元電位と前記生体情報とから、健康度合いを判定する健康指数を算出する健康指数算出手段とを有することにより、被験者の生体情報を加味した精度良い健康度合いの判定が可能であり、健常者と疾病者をより明確に区別することが可能である。【選択図】        図１
2004350861.tif 000002
【特許請求の範囲】
【請求項１】
身体の酸化還元電位を測定する測定手段と、
前記身体の酸化還元電位以外の生体情報を少なくとも１つ入力する入力手段と、
前記身体の酸化還元電位と前記生体情報とから、健康度合いを判定する健康指数を算出する健康指数算出手段とを有することを特徴とする健康管理装置。
【請求項２】
前記健康指数算出手段は、前記身体の酸化還元電位と前記生体情報とを、各々予め複数段階に設定した健康度評価範囲と比較することにより得られる各健康度合いから、健康指数を算出することを特徴とする請求項１記載の健康管理装置。
【請求項３】
運動や食事等の人体に対する負荷前後の酸化還元電位の差分を算出する差分算出手段と、
前記負荷前後の酸化還元電位の差分と、予め複数段階に設定した負荷影響度評価範囲とを比較することにより、負荷が人体に及ぼす負荷影響度を算出する負荷影響度算出手段と、
前記負荷影響度と前記生体情報とから、負荷が人体に及ぼす健康度合いを判定する負荷健康指数を算出する負荷健康指数算出手段とを更に有する請求項１記載の健康管理装置。
【請求項４】
前記生体情報は血圧値であることを特徴とする請求項１記載の健康管理装置。
【請求項５】
前記生体情報は尿酸値であることを特徴とする請求項１記載の健康管理装置。
【請求項６】
前記生体情報は血糖値であることを特徴とする請求項１記載の健康管理装置。
【請求項７】
前記生体情報は尿糖値であることを特徴とする請求項１記載の健康管理装置。
【請求項８】
前記生体情報は、ナトリウム／カリウムイオン比であることを特徴とする請求項１記載の健康管理装置。
【請求項９】
前記生体情報は脈拍数であることを特徴とする請求項１記載の健康管理装置。
【請求項１０】
前記生体情報は、体重、ＢＭＩ又は体脂肪等の肥満に関するデータであることを特徴とする請求項１記載の健康管理装置。
【請求項１１】
身体の酸化還元電位を測定する測定手段と、
測定日時を計時する計時手段と
前記身体の酸化還元電位と前記測定日時とを時系列データとして記憶するメモリ手段と、
前記時系列データから、月経周期や病後の回復度等の時系列的な生体変化を知得する生体変化知得手段とを有することを特徴とする健康管理装置。
【請求項１２】
飲食物の酸化還元電位値に基づいて予め飲食物を複数のグループに分別した飲食物インデックスの中から、前記身体の酸化還元電位に対し、同じ酸化還元電位を示す飲食物と、摂取が必要な酸化還元電位を示す飲食物との内、少なくとも一方の飲食物を指示する飲食物指示手段を更に有する請求項１又は１１記載の健康管理装置。
【請求項１３】
前記身体の酸化還元電位を測定する際の溶存酸素濃度の影響を補償する溶存酸素濃度補償手段を更に有することを特徴とする請求項１又は１１記載の健康管理装置。
【請求項１４】
前記身体の酸化還元電位を測定する際の被測定物の温度の影響を補償する温度補償手段を更に有することを特徴とする請求項１又は１１記載の健康管理装置。
【発明の詳細な説明】
【０００１】
【発明の属する技術分野】
本発明は、身体の酸化還元電位を測定することにより健康度合いを判定する健康管理装置に関する。
【０００２】
【従来の技術】
唾液、尿、汗又は血液等の体液の酸化還元電位を測定し、その酸化還元電位値により体調や健康度の目安とする健康管理計が開示されている（例えば特許文献１参照。）。
【０００３】
また、酸化還元電位値を予め複数段階に分類し、各段階において具体的な各種病名を示唆する健康管理計が開示されている。
【０００４】
【特許文献１】
特許第３１１７１９２号公報
【特許文献２】
特開２００２−２０７０３７号公報
【０００５】
【発明が解決しようとする課題】
しかしながら、従来の健康管理計においては酸化還元電位値のみを判定基準として、体調や健康度、又は疾病度を示唆するものであり、被検者の生体情報や飲食物の摂取情報等を加味したものではなかった。そのため、例えば酸化還元電位値が＋１０から＋５０（ｍｖ）の中には健常者と疾病者とが混在するグレーゾーンがあり、自覚症状として表れていないだけで何らかの疾病を抱えていると思われる疾病予備軍が存在し、酸化還元電位値のみの判定では、これら健常者と疾病者との判別基準は曖昧であったといえる。
【０００６】
更に酸化還元測定は、溶存酸素や被測定物の温度等の測定環境に大きく影響を受けるものであり、特に体液など微小容量の測定が主となる生体の酸化還元電位測定の場合、その測定誤差が大きくなることは明らかである。
【０００７】
本発明は上述の従来技術の問題点を解決し、体液の酸化還元電位に更に生体情報を加えて精度良く健康度合いを表す健康管理装置を提供することを目的とする。
【０００８】
【課題を解決するための手段】
上記課題を解決するために本発明は、身体の酸化還元電位を測定する測定手段と、前記身体の酸化還元電位以外の生体情報を少なくとも１つ入力する入力手段と、前記身体の酸化還元電位と前記生体情報とから、健康度合いを判定する健康指数を算出する健康指数算出手段とを有する健康管理装置を提供する。
【０００９】
また、前記健康指数算出手段は、前記身体の酸化還元電位と前記生体情報とを、各々予め複数段階に設定した健康度評価範囲と比較することにより得られる各健康度合いから、健康指数を算出する。
【００１０】
また、運動や食事等の人体に対する負荷前後の酸化還元電位の差分を算出する差分算出手段と、前記負荷前後の酸化還元電位の差分と、予め複数段階に設定した負荷影響度評価範囲とを比較することにより、負荷が人体に及ぼす負荷影響度を算出する負荷影響度算出手段と、前記負荷影響度と前記生体情報とから、負荷が人体に及ぼす健康度合いを判定する負荷健康指数を算出する負荷健康指数算出手段とを更に有する。
【００１１】
前記生体情報は血圧値、尿酸値、血糖値、尿糖値、脈拍数又はナトリウム／カリウムイオン比（以下Ｎａ／Ｋイオン比と言う）の内、少なくとも１つである。
【００１２】
前記生体情報は、体重、ＢＭＩ又は体脂肪等の肥満に関するデータである。
【００１３】
また本発明は、身体の酸化還元電位を測定する測定手段と、測定日時を計時する計時手段と、前記身体の酸化還元電位と前記測定日時とを時系列データとして記憶するメモリ手段と、前記時系列データから、月経周期や病後の回復度等の時系列的な生体変化を知得する生体変化知得手段とを有する健康管理装置を提供する。
【００１４】
また本健康管理装置は、飲食物の酸化還元電位値に基づいて予め飲食物を複数のグループに分別した飲食物インデックスの中から、前記身体の酸化還元電位に対し、同じ酸化還元電位を示す飲食物と、摂取が必要な酸化還元電位を示す飲食物との内、少なくとも一方の飲食物を指示する飲食物指示手段を更に有する。
【００１５】
また本健康管理装置は、前記身体の酸化還元電位を測定する際の溶存酸素濃度の影響を補償する溶存酸素濃度補償手段を更に有する。
【００１６】
また本健康管理装置は、前記身体の酸化還元電位を測定する際の被測定物の温度の影響を補償する温度補償手段を更に有する。
【００１７】
【発明の実施の形態】
本発明の健康管理装置は、身体の酸化還元電位を測定する測定手段と、前記身体の酸化還元電位以外の生体情報を少なくとも１つ入力する入力手段と、前記身体の酸化還元電位と前記生体情報とから、健康度合いを判定する健康指数を算出する健康指数算出手段とを有することにより、被験者の生体情報を加味した精度良い健康度合いの判定が可能であり、健常者と疾病者をより明確に区別することが可能である。
【００１８】
また前記健康指数算出手段は、前記身体の酸化還元電位と前記生体情報とを、各々予め複数段階に設定した健康度評価範囲と比較することにより得られる各健康度合いから、健康指数を算出することにより、健常者の中でも疾病を抱えている疾病予備軍を簡便に示すことが可能であり、また疾病者の重篤度を表すことも可能である。
【００１９】
また前記健康管理装置は、運動や食事等の人体に対する負荷前後の酸化還元電位の差分を算出する差分算出手段と、前記負荷前後の酸化還元電位の差分と、予め複数段階に設定した負荷影響度評価範囲とを比較することにより、負荷が人体に及ぼす負荷影響度を算出する負荷影響度算出手段と、前記負荷影響度と前記生体情報とから、負荷が人体に及ぼす健康度合いを判定する負荷健康指数を算出する負荷健康指数算出手段とを更に有することにより、運動や食事内容が自分に適したものかどうか知ることが出来る。
【００２０】
また前記生体情報は血圧値であり、ストレスによる血圧値の上昇に伴い、ストレスにより発生する活性酸素及び乳酸による体液の酸化が起こる、つまり身体の酸化還元電位値が上昇することから、血圧値と酸化還元電位値は相関傾向にある。従ってストレスを含む健康度合いを知ることができる。
【００２１】
また前記生体情報は尿酸値であり、酸性を示す尿酸値の増減により酸化還元電位値も変動することから、尿酸値と酸化還元電位値は相関傾向にある。従って尿酸値によって示される痛風や高脂血症等の罹患度合いや重篤度合いを含めた健康度合いを知ることができる。
【００２２】
また前記生体情報は血糖値又は尿糖値であり、糖尿病や過度のダイエット等によりインシュリン不足に陥った場合、糖が分解されず血糖値又は尿糖値が上昇する。これに伴いエネルギー源として脂肪が消費されるために体内では酸性を示すケトン体が生成され、酸化還元電位値が上昇することから、血糖値又は尿糖値と酸化還元電位値は相関傾向にある。従ってインシュリン不足を伴う糖尿病や過度のダイエットの危険度を含む健康度合いを知ることができる。
【００２３】
また前記生体情報はＮａ／Ｋイオン比であり、例えばポーラログラフ式成分計等を用いて、唾液、尿、汗又は血液等の体液のナトリウム（以下Ｎａと言う）及びカリウム（以下Ｋと言う）の両イオン濃度を測定することにより得られる。ここで、過度のＮａの摂取は高血圧の因子であり、Ｋの摂取はＮａを体外に排出し血圧を下げる働きをすることが知られている。つまり、細胞外液のＮａイオンが高くなると、このＮａイオン濃度を一定に保とうと細胞外液が増加する。これに伴い血液の流量を保つため血圧が高くなることが知られている。前述のように血圧値と酸化還元電位値は相関傾向にあることから、Ｎａ／Ｋイオン比と酸化還元電位値とも相関傾向にあると言える。したがって血圧を含む健康度合いを知ることができる。
【００２４】
また前記生体情報は、体重、ＢＭＩ又は体脂肪等の肥満に関するデータであり、糖尿病や高脂血症等の生活習慣病の罹患度合いを示唆する公知の指標として用いられている。またこれら生活習慣病は血圧や尿酸値、又は血糖値等から表され、更にこれら生体情報は前述のように酸化還元電位値と相関傾向にあることから、前記肥満に関するデータと酸化還元電位値は相関傾向にある。従って生活習慣病の罹患度合いを含む健康度合いを知ることができる。
【００２５】
更に前記生体情報は脈拍数であり、肥満が進行して心肺機能が低下した場合脈拍数は増加する傾向にあることから肥満を示す体重とＢＭＩ、及び体脂肪等の肥満に関するデータと脈拍数は相関傾向にあるといえる。また体重とＢＭＩ、及び体脂肪等の肥満に関するデータは前述のように酸化還元電位値と相関傾向にあることから、脈拍数と酸化還元電位値は相関傾向にある。従って心肺機能の状態を含む健康度合いを知ることができる。
【００２６】
また本発明の健康管理装置は、身体の酸化還元電位を測定する測定手段と、測定日時を計時する計時手段と、前記身体の酸化還元電位と前記測定日時とを時系列データとして記憶するメモリ手段と、前記時系列データから、月経周期や病後の回復度等の時系列的な生体変化を知得する生体変化知得手段とを有することにより、長期に渡る疾病又は健康の管理が簡便に可能である。
【００２７】
また本健康管理装置は、飲食物の酸化還元電位値に基づいて予め飲食物を複数のグループに分別した飲食物インデックスの中から、前記身体の酸化還元電位に対し、同じ酸化還元電位を示す飲食物と、摂取が必要な酸化還元電位を示す飲食物との内、少なくとも一方の飲食物を指示する飲食物指示手段を更に有することから、被験者自身の体液がどのような飲食物と同等の酸化還元電位値であるか表示することにより、楽しんで測定が可能であり同時に飲食物の酸化還元度合いの知識も自然に身に付けられる。また、摂取が必要な酸化還元電位値を示す飲食物を表示することにより、自分に適した飲食物が分かり、飲食物による体調管理を行うことが可能である。
【００２８】
また本健康管理装置は、前記身体の酸化還元電位を測定する際の溶存酸素濃度の影響を補償する溶存酸素濃度補償手段を更に有することにより、より精度良く生体の酸化還元度合いを表すことが可能である。
【００２９】
また本健康管理装置は、前記身体の酸化還元電位を測定する際の被測定物の温度の影響を補償する温度補償手段を更に有することにより、より精度良く生体の酸化還元度合いを表すことが可能である。
【００３０】
【実施例】
本発明の第１実施例は、体液の酸化還元電位とそれ以外の生体情報、例えば血圧値や尿酸値、又は血糖値や体重値等の生体情報とから、各種健康指数や被験者の健康状態に適した飲食物等を指示し、被験者の健康管理を行うものである。
【００３１】
まず、本装置の構成を図１及び図２を用いて詳述する。図１は第１実施例の健康管理装置１の斜視図である。この健康管理装置１はセンサ部２と本体部３とからなり、センサ部２は体液の酸化還元電位を測定する作用電極４と参照電極５とを有し、被測定物の温度を測定する温度センサ６と溶存酸素濃度を測定する溶存酸素濃度センサ７とを備える。また本体部３は測定結果やグラフ、又はメッセージを表示する表示部８とこの健康管理装置１の電源スイッチ９、及び生体情報の数値入力用テンキーや各種設定キーからなる操作部１０とを備える。
【００３２】
測定時には、センサ部２の各電極と各センサとを唾液、尿、汗又は血液等の体液に接触させることにより測定する。
【００３３】
また図２は第１実施例の機能構成ブロック図である。前記センサ部２の各電極と各センサは本体部３に次のように接続されて構成される。すなわち、作用電極４と参照電極５とが両電極から得られるアナログ信号を増幅する増幅器２０を介して、アナログ信号をディジタル信号に変換するＡ／Ｄコンバータに接続され、このＡ／Ｄコンバータから制御部２４に接続され構成する。また温度センサ６と溶存酸素濃度センサ７とが制御部２４に接続され構成している。更に本体部３内においては制御部２４に前記表示部８と前記操作部１０とが接続され、前記操作部１０から入力された生体情報や後述する健康度評価範囲等を記憶させるメモリ部２３と、この健康管理装置１に電力を供給する電源２２が接続されて構成されている。
【００３４】
次に、本実施例における健康管理装置１の動作を図３乃至図７を用いて詳述する。図３は動作のメインルーチンであり、図４は各健康管理モードを示すサブルーチンである。また図５は身体の酸化還元電位値と各種生体情報との各健康度数を導出する健康度評価範囲であり、図６は各健康度数を総合して得られる被験者の健康指標と年齢との相関図である。また図７は身体の酸化還元電位値に対して、摂取するのが望ましい飲食物を示した飲食物インデックスである。
【００３５】
まず図１に示した電源スイッチ９により健康管理装置１の電源をオンすると、ステップＳ１において、予めｎ種類の生体情報を入力するよう設定されている生体情報カウンタをｃ＝０としてリセットする。本実施例においては、最大血圧、最低血圧、尿酸値、血糖値、尿糖値、ＢＭＩ値、脈拍数及びＮａ／Ｋイオン比の８種類、つまりｎ＝８とする。次にステップＳ２において生体情報の値を設定するため、生体情報カウンタをｃ＝ｃ＋１とし、続くステップＳ３において生体情報カウンタによって示される生体情報をメモリ２３より読み込み、数値入力する生体情報を表示部８に表示する。
【００３６】
ステップＳ４において、予め測定してある生体情報の数値を操作部１０を用いて入力する。続くステップＳ５において、操作部１０の決定ボタンが押されたかどうか判断される。押されていなければ数値未設定とみなしＮＯに進み、ステップＳ４のテンキー入力を繰り返し、決定が押されるとＹＥＳに進み、前記表示された生体情報の数値が設定される。
【００３７】
前記生体情報が設定されると、ステップＳ６においてメモリ２３の生体情報の数値を更新し、ステップＳ７において、この生体情報カウンタｃが予め設定してある生体情報の最大数ｎに達したかどうか判別し、ｃ＝ｎでなければＮＯに進み再びステップＳ２において生体情報カウンタを＋１進めて次の生体情報の設定に移行し、再びステップＳ６までの処理を繰り返す。ｃ＝ｎに達した場合、全ての生体情報の設定が終了したとしてＹＥＳに進み、ステップＳ８において設定完了のメッセージと共に、図示しないが操作部１０の測定ボタンを押すことにより酸化還元電位測定の開始を指示するメッセージを表示部８に表示する。
【００３８】
ステップＳ９において測定ボタンが押されたかどうか判断され、押されなかった場合、ＮＯに進みステップＳ８に示したメッセージを表示し続け、測定ボタンを押されるとＹＥＳに進み、ステップＳ１０において酸化還元電位測定を開始する。
【００３９】
次にステップＳ１１において測定している酸化還元電位値が安定したかどうか判断される。このとき酸化還元電位値の変動幅が、予め設定した一定の許容変動範囲内で一定時間以上経過した場合安定であると判断される。安定していなければＮＯに進み測定を継続し、安定した場合ＹＥＳに進み、ステップＳ１２において酸化還元電位値を安定状態にてホールドし、酸化還元電位の安定値を得る。
【００４０】
ステップＳ１３において、前記酸化還元電位の安定値を被測定物の温度及び溶存酸素濃度による誤差を公知の方法で補償する。酸化還元電位は測定環境による影響を受けやすいことから、被測定物の温度と溶存酸素濃度は各々センサ部２の温度センサ６及び溶存酸素濃度センサ７によって測定され、これを予め設定した基準温度及び溶存酸素濃度レベルとの比較により酸化還元電位値を補償する。つまりこの補償により酸化還元電位値は常に一定環境下において測定した値であると見なすことができる。
【００４１】
ステップＳ１４において、酸化還元電位測定終了のメッセージを表示部８に表示する。続くステップＳ１５において、図５に１例を示す健康度評価範囲をメモリ２３より読み込む。この健康度評価範囲は酸化還元電位値と生体情報とを、各々適正域を健康度数１０ポイント、何らかの疾病にかかる可能性が高い危険域を健康度数０ポイントとして、この間を等間隔に分別したものである。続くステップＳ１６において、前記測定された酸化還元電位値と生体情報の入力値に対応する健康度数を各々導出する。
【００４２】
ステップＳ１７において、酸化還元電位値及び生体情報の入力値により各々導出された健康度数を用いて、総合的な健康度合いを示す健康指数を算出する。例えば健康指数の算出式を次のように示す。健康指数Ｈ＝（各生体情報の健康度数の平均）×（体液の酸化還元電位値の健康度数）。これにより全ての健康度数が適正域であった場合の健康指数Ｈ＝１００に対する健康度合いが分かる。またこの健康指数Ｈと年齢との相関から得られる回帰式を用いて、例えば図６の健康年齢判定グラフに示すように、健康指数Ｈから健康年齢を判定することが可能である。この例においては健康指数がＨ＝８０に相当する健康年齢は２７歳であることを示している。
【００４３】
ここで、前記健康指数Ｈと年齢との間には高い相関があると言える。それは、前記各生体情報と年齢間において相関が得られることは公知である。また、酸化還元電位値と各生体情報間においても前述のように相関が得られることが分かる。ただしこれは高い相関とは言えない。そこで各生体情報、酸化還元電位及び年齢との重回帰分析を行うことにより、総合的な健康度合いを示す健康指数Ｈと年齢との間に高い相関を得たものである。
【００４４】
ステップＳ１８において、前記算出した健康指数、健康年齢又は健康年齢判定グラフ等を表示すると共に、より詳細に健康管理を行うための各種モードの選択を指示するメッセージを表示する。続くステップＳ１９において決定ボタンが押されたかどうか判断される。決定ボタンが押されない場合にはＮＯに進み前記表示を続け、決定ボタンが押されるとＹＥＳに進み、ステップＳ２０において図４を用いて後述するサブルーチンのフローチャートに示す健康管理モードに進む。
【００４５】
ステップＳ２０の健康管理モードにおける動作が終了すると、ステップＳ２１において健康管理モードで導出された結果を表示部８に表示すると共に、再度モードの選択を指示するメッセージを表示する。続くステップＳ２２において決定ボタンが押されたかどうか判断され、前記同様決定ボタンが押されるとＹＥＳに進み再びステップＳ２０において図４で示される健康管理モードに進む。またステップＳ２２においてモードを切り換えなかった場合にはＮＯに進み、一定時間経過後再びステップＳ１の初期設定まで戻る。
【００４６】
次に前述のステップＳ２０で示される健康管理モードを図４のサブルーチンを用いて詳述する。まずステップＳ３０において、表示部８に表示された各健康管理モードの中から操作部１０を操作してモードを選択する。本実施例において健康管理モードは２つ設けてあり、１つ目は必要摂取飲食物モード、２つ目は運動又は栄養負荷影響判定モードである。以下各モードを説明する。
【００４７】
まず摂取飲食物モードを選択した場合、ステップＳ３１において制御部２４がこのモードを認識する。この摂取飲食物モードは体液の酸化還元電位値に応じて被験者自身の健康状態に合った飲食物を指示するものである。続くステップＳ３２においてメモリ２３より摂取飲食物インデックスを読み込む。これは、体液の酸化還元電位値に応じて摂取可能な飲食物レベルを示したものである。すなわち、予め測定した飲食物の酸化還元度合いにより飲食物を複数段階に分類し、体液の酸化還元電位値がマイナスに大きくなるほど、飲食物の酸化還元電位値がプラスに近いものでも摂取可能であることを示すものである。
【００４８】
ステップＳ３３において体液の酸化還元電位値と、この飲食物インデックスとを比較することにより被験者の健康状態にとって最適な飲食物を選定し指示することができる。例えば、体液の酸化還元電位値が還元度合いの高い−８０（ｍｖ）である場合、酸化度合いの高い食品である豚肉や鳥肉等も食べられることを示す。
【００４９】
またこの時、他の生体情報の入力値を同時に考慮することにより、より最適な飲食物を選択することができる。例えば、尿酸値が健康度数１程度の要注意域を示した場合、肉類よりも体に適している大豆やごぼうを選択し指示することができる。
【００５０】
この選択の後再び図３に示すメインフローチャートに戻り結果を表示する。
【００５１】
次に、ステップＳ３０において運動又は栄養負荷影響判定モードを選択した場合、ステップＳ３４において制御部２４がこのモードを認識する。この運動又は栄養負荷影響判定モードは負荷前後の酸化還元電位値を比較し、その変化から負荷として加えた運動や食事が自分に適したものかどうかを知ることができる。よって、ステップＳ３５において図３のステップ１３で温度補償及び溶存酸素濃度補償した酸化還元電位の安定値を負荷前酸化還元電位値としてメモリ２３に記憶する。続くステップＳ３６において、負荷後酸化還元電位値の測定を指示するメッセージを表示部８に表示する。
【００５２】
ステップＳ３７において測定ボタンが押されたかどうか判断され、押されていなければＮＯに進みメッセージを表示しつづけ、測定ボタンが押されるとＹＥＳに進み、負荷前酸化還元電位測定と同様に負荷後の酸化還元電位値を測定する。すなわち、ステップＳ３８において負荷後酸化還元電位測定を開始し、ステップＳ３９において測定値の安定か否かを判断し、安定していなければＮＯに進み検出を繰り返し、安定していればＹＥＳに進み、ステップＳ４０において酸化還元電位値をホールドし安定値を得る。
【００５３】
続くステップＳ４１において負荷前酸化還元電位測定と同じ条件での温度補償及び溶存酸素濃度補償を行った後、ステップＳ４２において負荷後酸化還元電位値測定終了のメッセージを表示し、続くステップＳ４３においてこのメッセージに対する確認として決定が押されたかどうか判断され、押されてなければＮＯに進みメッセージを繰り返し、決定が押されるとＹＥＳに進みステップＳ４４において、負荷前と負荷後の酸化還元電位値の差分を算出する。
【００５４】
ステップＳ４５において、この差分により負荷が身体にどのような影響を及ぼしたのか負荷影響度を判定する。つまり前記差分がマイナス側に変化するほど身体にとって良い影響を与えたと評価される。この評価導出後、再び図３に示すメインフローチャートに戻り結果を表示する。
【００５５】
なお、図３のステップＳ２からステップＳ７において設定される生体情報数をｎ＝８として、身体の酸化還元電位と相関のある８種類の生体情報を指定したが、ｎは自由に設定可能であり、必ずしも８種類全ての生体情報を設定しなくとも良い。
【００５６】
また、生体情報が複数ではなく１つの場合、図３のフローチャートに示すステップＳ１７において算出される健康指数は、その生体情報が示す特定の疾患の影響を含む健康度合いを示す。例えば、生体情報に血糖値を指定した場合、測定した酸化還元電位値と血糖値とから健康度評価範囲を用いて算出される健康指数は、血糖値によって表される、インシュリン不足を伴う糖尿病や過度のダイエット等により、どの程度健康が損なわれているかを示すことが可能であり、尿糖値によっても同様のことが言える。また同様に、生体情報が血圧値であった場合はストレスによる健康損失度合いを示し、生体情報が尿酸値であった場合は痛風や高脂血症、また肥満度合いを示す体重やＢＭＩ及び体脂肪率等の肥満に関するデータの場合は、肥満が関与する生活習慣病、脈拍の場合は心肺機能が健康に及ぼす影響度合い、Ｎａ／Ｋイオン比の場合は血圧を含む血流の状態等を示すことができる。
【００５７】
また、図３のステップＳ１７の健康指数算出において、各生体情報又は酸化還元電位値の内１つでも健康度数０であった場合、健康指数Ｈ＝０として健康的ではないことを示すことにより、健常者と疾病者の判別をより明確にすることもできる。
【００５８】
また図４のフローチャートのステップＳ３２において、飲食物インデックスは、体液の酸化還元電位に応じた摂取可能な飲食物を示したが、体液の酸化還元電位と同じ酸化還元電位レベルの飲食物群を示すことにより、被験者の体液がどのような飲食物と同等の酸化還元電位レベルにあるかを知ることができ、楽しんで測定が可能であると同時に飲食物の酸化還元度合いの知識も自然に身に付けることができる。
【００５９】
また図４のフローチャートのステップＳ３４からステップＳ４５において示される運動又は栄養負荷影響判定モードにおいては、単に運動又は食事前後の酸化還元電位値を測定し比較するだけであった。しかし、運動負荷の場合、運動の種類や運動量又は運動時間等のパラメータ、また栄養負荷の場合、摂取物とその重量や栄養素の種類等のパラメータを負荷の度合いとして入力又は設定可能とすることにより、より詳細に負荷影響度合いを表すことができ、どのような負荷をどの程度与えるのが良いかを知ることができ、生活を見直し生活習慣病などの予防に役立つ。
【００６０】
本発明の第２実施例は身体の酸化還元電位値と測定した日時データとから時系列データを作成し日々記録していくことにより、例えば月経周期や排卵日の傾向又は病後の回復度合い等、日々の生体変化を知得して健康管理を行うものである。
【００６１】
第２実施例の健康管理装置の外観図は第１実施例において図１に示した斜視図と同じものであり、ブロック図も図２に示したものと同じである。ただしブロック図においては、本体部３の制御部２４の内部に日時をカウントするタイマを有しており、身体の酸化還元電位値を測定した後にメモリ２３に記憶する際に、測定した日時も合わせて記憶するものである。
【００６２】
第２実施例の健康管理装置の動作を図８乃至図１０を用いて詳述する。図８は日々の生体変化の一例として月経周期及び排卵日の傾向を捉えることにより健康管理を行うフローチャートであり、図９は酸化還元電位値と月経周期を表すグラフであり、図１０は一般的な基礎体温法による月経周期グラフである。
【００６３】
まず、図１に示した電源スイッチ９により健康管理装置１の電源をオンすると、図８のフローチャートのステップＳ６０において、操作部１０の測定ボタンを押して酸化還元電位測定を開始するよう指示するメッセージを表示部８に表示する。続くステップＳ６１において測定ボタンが押されたかどうかが判断される。押されていなければＮＯに進み再びステップＳ６０において測定ボタンを押す指示を表示し続ける。また測定が押されるとＹＥＳに進みステップＳ６２において酸化還元電位値の測定を開始する。
【００６４】
酸化還元電位測定が開始されると、ステップＳ６３において酸化還元電位値が安定したかどうか判断される。このとき酸化還元電位値の変動幅が、予め設定した一定の許容変動範囲内で一定時間以上経過した場合に安定であると判断される。酸化還元電位が安定していなければＮＯに進み測定を継続し、安定するとＹＥＳに進み、ステップＳ６４において酸化還元電位値を安定状態にてホールドし、酸化還元電位の安定値を得る。
【００６５】
前記酸化還元電位の安定値は、第１実施例と同様に、ステップＳ６５において温度補償及び溶存酸素濃度補償を加え、酸化還元電位値を高精度に補償し、ステップＳ６６において、この温度補償及び溶存酸素濃度補償済みの酸化還元電位値をメモリ２３に記憶し、更にステップＳ６７において制御部２４内のタイマより日時データを読み込みこの酸化還元電位値と共にメモリ２３に記憶する。
【００６６】
ステップＳ６８において時系列データ作成の基準となる月経時基準データ、つまり月経日の酸化還元電位値がメモリ２３内にあるかどうか判断される。月経時基準データがない場合、データを作成するためＮＯに進み、ステップＳ６９において月経日が酸化還元電位値を測定した日から何日前かを入力する。続くステップＳ７０において月経周期と酸化還元電位値との理想的な関係を予め設定しておき、入力した月経日の酸化還元電位値を推定する。ステップＳ７１において、月経日及びその時の酸化還元電位値を月経時基準データとしてメモリ２３に記憶する。
【００６７】
ステップＳ６８において、前記月経時基準データがメモリ２３内にあった場合、前述のステップＳ６９からステップＳ７１の月経時基準データ作成ステップを通らず、ステップＳ７２に進み、月経時基準データとこれまで測定した酸化還元電位値のデータとから時系列データを作成し、ステップＳ７３においてこの時系列データから月経周期と排卵日の予想を行う。
【００６８】
ここで月経周期と酸化還元電位値との関係を図９及び図１０を用いて説明する。図１０に示す月経周期推定の指標とされる基礎体温法による月経周期グラフと比較してみると、月経が始まってから排卵日までの低温期の酸化還元電位値を基準電位とすると、排卵日には酸化還元電位値が急激にプラスに変化し、排卵後から次の月経日までの高温期には酸化還元電位が前記基準電位に比べ＋５０（ｍｖ）程度プラスの変化を示しており、更に高温期を過ぎ酸化還元電位値が再び急激にマイナスに変化すると、その２日から４日後には前記基準電位に戻り月経日を示すという傾向が見られ、基礎体温とも相関傾向にあることから排卵日及び月経周期の予想が可能となる。
【００６９】
更にステップＳ７４において排卵日及び月経周期の予想結果と共に図９に示したようにグラフ化した時系列データを表示部８に表示する。続くステップＳ７５において操作部１０の決定ボタンが押されたかどうか判断され、押されていない間はＮＯに進みステップＳ７４に示した結果及びグラフを表示し続け、決定ボタンが押されるとＹＥＳに進み再びステップＳ６０に戻る。
【００７０】
なお、日々の生体変化を知得するものであれば、病中病後の回復度合いや薬の効果を知ることも可能であり、運動による体力増進等の効果を時系列的な変化として知ることも可能である。
【００７１】
【発明の効果】
本発明の健康管理装置は、身体の酸化還元電位を測定する測定手段と、前記身体の酸化還元電位以外の生体情報を少なくとも１つ入力する入力手段と、前記身体の酸化還元電位と前記生体情報とから、健康度合いを判定する健康指数を算出する健康指数算出手段とを有することにより、被験者の生体情報を加味した精度良い健康度合いの判定が可能であり、健常者と疾病者をより明確に区別することが可能である。
【００７２】
また前記健康指数算出手段は、前記身体の酸化還元電位と前記生体情報とを、各々予め複数段階に設定した健康度評価範囲と比較することにより得られる各健康度合いから、健康指数を算出することにより、健常者の中でも疾病を抱えている疾病予備軍を簡便に示すことが可能であり、また疾病者の重篤度を表すことも可能である。
【００７３】
また前記健康管理装置は、運動や食事等の人体に対する負荷前後の酸化還元電位の差分を算出する差分算出手段と、前記負荷前後の酸化還元電位の差分と、予め複数段階に設定した負荷影響度評価範囲とを比較することにより、負荷が人体に及ぼす負荷影響度を算出する負荷影響度算出手段と、前記負荷影響度と前記生体情報とから、負荷が人体に及ぼす健康度合いを判定する負荷健康指数を算出する負荷健康指数算出手段とを更に有することにより、運動や食事内容が自分に適したものかどうか知ることが出来る。
【００７４】
また前記生体情報は血圧値であり、ストレスによる血圧値の上昇に伴い、ストレスにより発生する活性酸素及び乳酸による体液が酸化する、つまり身体の酸化還元電位値が上昇することから、血圧値と酸化還元電位値は相関傾向にある。従ってストレスを含む健康度合いを知ることができる。
【００７５】
また前記生体情報は尿酸値であり、酸性を示す尿酸値の増減により酸化還元電位値も変動することから、尿酸値と酸化還元電位値は相関傾向にある。従って尿酸値によって示される痛風や高脂血症等の罹患度合いや重篤度合いを含めた健康度合いを知ることができる。
【００７６】
また前記生体情報は血糖値又は尿糖値であり、糖尿病や過度のダイエット等によりインシュリン不足に陥った場合、糖が分解されず血糖値又は尿糖値が上昇する。これに伴いエネルギー源として脂肪が消費されるために体内では酸性を示すケトン体が生成され、酸化還元電位値が上昇することから、血糖値又は尿糖値と酸化還元電位値は相関傾向にある。従ってインシュリン不足を伴う糖尿病や過度のダイエットの危険度を含む健康度合いを知ることができる。
【００７７】
また前記生体情報はＮａ／Ｋイオン比であり、例えばポーラログラフ式成分計等を用いて、唾液、尿、汗又は血液等の体液のナトリウム（以下Ｎａと言う）及びカリウム（以下Ｋと言う）の両イオン濃度を測定することにより得られる。ここで、過度のＮａの摂取は高血圧の因子であり、Ｋの摂取はＮａを体外に排出し血圧を下げる働きをすることが知られている。つまり、細胞外液のＮａイオンが高くなると、このＮａイオン濃度を一定に保とうと細胞外液が増加する。これに伴い血液の流量を保つため血圧が高くなることが知られている。前述のように血圧値と酸化還元電位値は相関傾向にあることから、Ｎａ／Ｋイオン比と酸化還元電位値とも相関傾向にあると言える。したがって血圧を含む健康度合いを知ることができる。
【００７８】
また前記生体情報は、体重、ＢＭＩ又は体脂肪等の肥満に関するデータであり、糖尿病や高脂血症等の生活習慣病の罹患度合いを示唆する公知の指標として用いられている。またこれら生活習慣病は血圧や尿酸値、又は血糖値等から表され、更にこれら生体情報は前述のように酸化還元電位値と相関傾向にあることから、前記肥満に関するデータと酸化還元電位値は相関傾向にある。従って生活習慣病の罹患度合いを含む健康度合いを知ることができる。
【００７９】
更に前記生体情報は脈拍数であり、肥満が進行して心肺機能が低下した場合脈拍数は増加する傾向にあることから肥満を示す体重とＢＭＩ、及び体脂肪等の肥満に関するデータと脈拍数は相関傾向にあるといえる。また体重とＢＭＩ、及び体脂肪等の肥満に関するデータは前述のように酸化還元電位値と相関傾向にあることから、脈拍数と酸化還元電位値は相関傾向にある。従って心肺機能の状態を含む健康度合いを知ることができる。
【００８０】
また本発明の健康管理装置は、身体の酸化還元電位を測定する測定手段と、測定日時を計時する計時手段と、前記身体の酸化還元電位と前記測定日時とを時系列データとして記憶するメモリ手段と、前記時系列データから、月経周期や病後の回復度等の時系列的な生体変化を知得する生体変化知得手段とを有することにより、長期に渡る疾病又は健康の管理が簡便に可能である。
【００８１】
また本健康管理装置は、飲食物の酸化還元電位値に基づいて予め飲食物を複数のグループに分別した飲食物インデックスの中から、前記身体の酸化還元電位に対し、同じ酸化還元電位を示す飲食物と、摂取が必要な酸化還元電位を示す飲食物との内、少なくとも一方の飲食物を指示する飲食物指示手段を更に有することから、被験者自身の体液がどのような飲食物と同等の酸化還元電位値であるか表示することにより、楽しんで測定が可能であり同時に飲食物の酸化還元度合いの知識も自然に身に付けられる。また、摂取が必要な酸化還元電位値を示す飲食物を表示することにより、自分に適した飲食物が分かり、飲食物による体調管理を行うことが可能である。
【００８２】
また本健康管理装置は、前記身体の酸化還元電位を測定する際の溶存酸素濃度の影響を補償する溶存酸素濃度補償手段を更に有することにより、より精度良く生体の酸化還元度合いを表すことが可能である。
【００８３】
また本健康管理装置は、前記身体の酸化還元電位を測定する際の被測定物の温度の影響を補償する温度補償手段を更に有することにより、より精度良く生体の酸化還元度合いを表すことが可能である。
【図面の簡単な説明】
【図１】本発明の健康管理装置の外観図である。
【図２】本発明の健康管理装置の機能構成ブロック図である。
【図３】本発明の第１実施例の動作を示すメインフローチャートである。
【図４】本発明の第１実施例のサブルーチンを示すフローチャートである。
【図５】健康度評価範囲の１例である。
【図６】健康年齢判定グラフである。
【図７】飲食物インデックスの１例である。
【図８】第２実施例の動作を示すフローチャートである。
【図９】酸化還元電位と月経周期との関係を示すグラフである。
【図１０】基礎体温法による月経周期推定グラフである。
【符号の説明】
１    健康管理装置
２    センサ部
３    本体部
４    作用電極
５    参照電極
６    温度センサ
７    溶存酸素センサ
８    表示部
９    電源スイッチ
１０  操作部
２０  増幅器
２１  Ａ／Ｄコンバータ
２２  電源
２３  メモリ
２４  制御部
【図１】
2004350861.tif 000003
【図２】
2004350861.tif 000004
【図３】
2004350861.tif 000005
【図４】
2004350861.tif 000006
【図５】
2004350861.tif 000007
【図６】
2004350861.tif 000008
【図７】
2004350861.tif 000009
【図８】
2004350861.tif 000010
【図９】
2004350861.tif 000011
【図１０】
2004350861.tif 000012